(57)【要約】【課題】円形や卵形水路など本体と蓋を一体にした排水溝ブロックは、強度が高く排水効率が高いという利点があるものの、開口部が狭く排水溝の底面に勾配を付ける加工はほとんど不可能であり、勾配のない平坦地には利用できない。また、Ｕ字溝は蓋に連続した開口部を設けることが難しく排水効率が低下する。しかも、蓋の強度の問題、がたつきによる損傷や騒音などの要因となる。【解決手段】内部に設けられた排水空間の最大幅より狭い幅で連続する開口部が、該排水空間の上部に設けられた排水溝ブロックにおいて、一方の側面に長さ方向に渡って内部の排水空間に至る分割部を設け、該開口部を介した本体ブロックと分割ブロックとによって構成する。【選択図】        図２
2004232201.tif 000002
【特許請求の範囲】
【請求項１】
内部に設けられた排水空間の最大幅より狭い幅で連続する開口部が、該排水空間の上部に設けられた排水溝ブロックにおいて、一方の側面に長さ方向に渡って内部の排水空間に至る分割部を設け、該分割部と該開口部によって本体ブロックと分割ブロックの２ピース構造としたことを特徴とする分割型排水溝ブロック。
【請求項２】
上面に透水性舗装材が敷設される場合において、本体ブロックと分割ブロックの少なくともいずれかの上面に、開口部側に面する立面板と取付部を設けた底面板よりなる側面視Ｌ字形の隔壁部材を、該底面板がこれらの上面との間で隙間を形成するスペーサを介して設けたものである請求項１記載の分割型排水溝ブロック。
【請求項３】
本体ブロックと分割ブロックのいずれかは、縁石ブロックを設置する設置部が設けられたものである請求項１又は２記載の分割型排水溝ブロック。
【発明の詳細な説明】
【０００１】
【発明の属する技術分野】
本発明は、排水を目的とした側溝ブロックや水路ブロックなどの排水溝ブロックの改良に関するものである。
【０００２】
【従来の技術】
排水溝ブロックは、例えば雨水や道路から流れ込む水を集水して排水するもので、Ｕ字形などでは蓋が設けられるが、本体と蓋を一体構造にした円形や卵形水路などがある。蓋や本体上面には開口部が設けられ、開口部には一般的にグレーチングが設けられる。グレーチングは、金属製プレート状のベアリングバーを複数並列に並べ、クロスバーやツイストバーで連結して格子状にしたものである。
【０００３】
また、道路や歩道の排水性を高めることを目的として、透水性アスファルトや透水性ブロックなどの透水性舗装材の敷設が増大している。透水性舗装材の敷設面に設置する排水溝ブロックとしては、透水性舗装材の敷設効果を高めたり、舗装面の排水機能を向上させることを目的として、その蓋や本体上面にも透水性舗装材を敷設する場合がある。
【０００４】
【発明が解決しようとする課題】
円形や卵形水路など本体と蓋を一体にした構造の排水溝ブロックは、一体構造であることから強度が高く、しかも本体上面に設けられる開口部が連続的に設けられ排水効率が高いという利点がある。反面、構造的に上部の狭い開口部しか開口していないため、排水溝の底面に勾配を付ける加工はほとんど不可能であり、勾配のない平坦地には利用できない欠点がある。このことから、本体と蓋を別体にしたＵ字溝が広く利用されているものの、蓋に連続した開口部を設けることが難しく排水効率が低下する欠点がある。さらに、蓋の強度の問題、がたつきによる損傷や騒音などの発生要因となっていた。
【０００５】
排水溝ブロックの蓋や本体上面に透水性舗装材を敷設する場合においては、開口部が該舗装材で覆われないように、蓋や本体上面に隔壁部材を設けて仕切るようにしている。ところが、このような隔壁部材を設けることにより、該舗装材から開口部への排水機能が著しく低下することになり、透水性舗装材による舗装面の排水効果が充分得られなくなってしまう問題が生じていた。
【０００６】
【課題を解決するための手段】
そこで本発明者は上記問題に鑑み鋭意研究の結果、本発明を成し得たものであり、その特徴とするところは、内部に設けられた排水空間の最大幅より狭い幅で連続する開口部が、該排水空間の上部に設けられた排水溝ブロックにおいて、一方の側面に長さ方向に渡って内部の排水空間に至る分割部を設け、該分割部と該開口部によって本体ブロックと分割ブロックの２ピース構造としたことにある。
【０００７】
ここで、本明細書中でいう「開口部」とは、排水溝ブロックの上部に設けられた溝状のものであり、該排水溝ブロック内部の排水空間に連通する部分をいう。本発明でいうところの開口部は、排水空間の最大幅より狭い幅で連続的に設けられ、排水溝ブロック本体の一部で形成する構造のものをいう。つまり、従来で言うところの本体と蓋を一体にした円形や卵形水路などの排水溝ブロックを基本構造としたものである。
【０００８】
「分割部」とは、排水溝ブロックの一方の側面から内部の排水空間まで設けることによって２分割する面をいう。この分割部は側面の長さ方向に渡って設けられるもので、排水溝ブロックを本体ブロックと分割ブロックの２ピースに分割する。このため、開口部は本体ブロックと分割ブロックによって形成される。分割ブロックと本体ブロックの連結は、特に限定するものではなく、例えば従来の排水溝ブロック同士のようにインサートネジなどで連結する。また、分割部にはパッキンなどを設けることによって、分割部からの漏水防止を図るようにしてもよい。
【０００９】
「隔壁部材」とは、本体ブロックや分割ブロックの上面に透水性敷設材を敷設する場合において、これらの上面に設ける側面視Ｌ字状の部材をいう。この隔壁部材は、上面に敷設される透水性舗装材が、開口部を覆わないように仕切るためのものである。本発明においては、隔壁部材の底面板を本体ブロックや分割ブロックの上面にスペーサを介して取り付けることにより、底面板の底部側に隙間を生じさせる。この隙間を排水部として、透水性舗装材からの排水が隔壁部材を通じて開口部から内部の排水空間へと流れ込むようにする。隙間としては、数ｍｍ〜数ｃｍ程度でよい。スペーサは、別体のものを介在させる他、隔壁部材に予め設けておいたり、隔壁部材の一部で形成したものでもよい。排水部としては、隔壁部材の底部側に形成した隙間の他、隔壁部材自体に切欠や孔などを穿設して排水機能を付与してもよい。
【００１０】
「設置部」とは、本体ブロックや分割ブロックの上面に縁石ブロックを設置する場合において、これらを所定の位置に安定よく設置できるようにする部分をいう。例えば、本体ブロックや分割ブロックの上面に設ける陥凹部や切り欠きなどである。
【００１１】
【発明の実施の形態】
以下、本発明を図面に示す発明の実施の形態に基づいて詳細に説明する。
【００１２】
図１は本発明に係る分割型排水溝ブロックの蓋１の実施の形態の一例を示すもので、本体と蓋部分が一体構造で、上面に内部の卵形の排水空間２と連通する連続した開口部３を有する排水溝ブロックを基本形状としたものである。本発明においては、一方の側面から内部の排水空間２に至る分割部４を設けることによって、開口部３と該分割部４で本体ブロック５と分割ブロック６の２ピースに分割する。
【００１３】
図２は、図１に示す分割型排水溝ブロック１を分解した状態を示すもので、分割ブロック６を外した本体ブロック５は、上面の開口部３から側面のほぼ中央部に至るまで開口するため、排水空間２の底部に勾配をつけるための作業が極めて容易となる。本体ブロック５と分割ブロック６の連結固定は、本体ブロック５に連結用インサート５１、分割ブロック６に連結用フランジ６１を設け、連結ボルト６２で連結する。本例では、これらを位置決めするためのガイドピン５２を設けると共に、本体ブロック５側の分割部４に止水パッキン５３を設けている。
【００１４】
図３（ａ）は、本発明に係る分割型排水溝ブロック１の実施の形態の他の例を示すもので、本体ブロック５の上面に隔壁部材７を設けている。隔壁部材７は、本体ブロック５の上面に透水性舗装材８を敷設する場合に設けるもので、開口部３側に面して設ける立面板７１と、本体ブロック５の上面に固定するための取付部７２を設けた底面板７３より構成した側面視Ｌ字型の金属製部材である。この隔壁部材７を設けることにより、開口部３に対して透水性舗装材８を仕切ることができるが、該透水性舗装材８からの排水が堰き止められることになる。このことから、本発明においては本体ブロック５の上面との間で排水部７４を形成する構造としている。排水部７４は、隔壁部材７を底面板７３と本体ブロック５の上面との間にスペーサ７５を介して取り付けることによって形成した隙間である。
【００１５】
本例では、分割ブロック６の上面に設置部５４を設け、該設置部５４に縁石ブロック９を設置した例を示している。また、開口部３にはグレーチングＧを設けている。内部の清掃を行う場合などにはグレーチングＧを外すが、開口部３の幅を狭くしてグレーチングＧを設けない構造にすることも可能である。
【００１６】
本体ブロック５の上面に透水性舗装材８を敷設した状態を同図（ｂ）に示す。透水性舗装材８からの排水は、該隔壁部材７の底面板７３と本体ブロック５の上面との間に形成した隙間を排水部７４として、開口部３へ導入させることができる。隔壁部材７としては、アングル状のものの他、図４（ａ）のように底面板７３の取付部７２以外の部分を切り欠いた構造や、同図（ｂ）のように底面板７３に多数の取付部７２を設けた構造としてもよい。
【００１７】
【発明の効果】
以上のように本発明に係る分割型排水溝ブロックは、内部に設けられた排水空間の最大幅より狭い幅で連続する開口部が、該排水空間の上部に設けられた排水溝ブロックにおいて、一方の側面に長さ方向に渡って内部の排水空間に至る分割部を設け、該分割部と該開口部によって本体ブロックと分割ブロックの２ピース構造としたことにより、上面部分に大きな開口が得られ、内部の排水空間に勾配を形成するなどの加工を容易にすることができる。また、蓋と本体を一体構造とした従来の円形や卵形水路を基本構造としていることから、強度が高く、しかも連続した開口部による高い排水性を有するなど極めて有益な効果を有するものである。
【図面の簡単な説明】
【図１】本発明に係る分割型排水溝ブロックの実施の形態の一例を示す斜視図である。
【図２】図１に示した分割型排水溝ブロックを分解した状態を示す斜視図である。
【図３】（ａ）は本発明に係る分割型排水溝ブロックの実施の形態の他の例を示す斜視図、（ｂ）は透水性舗装材を敷設した状態を示す正面図である。
【図４】（ａ）（ｂ）はそれぞれ隔壁部材の実施の形態の他の例を示す斜視図である。
【符号の説明】
１  分割型排水溝ブロック
２  排水空間
３  開口部
４  分割部
５  本体ブロック
５１  連結用インサート
５２  ガイドピン
５３  止水パッキン
５４  設置部
６  分割ブロック
６１  連結用フランジ
６２  連結ボルト
７  隔壁部材
７１  立面板
７２  取付部
７３  底面板
７４  排水部
７５  スペーサ
８  透水性舗装材
９  縁石ブロック
Ｇ  グレーチング
【図１】
2004232201.tif 000003
【図２】
2004232201.tif 000004
【図３】
2004232201.tif 000005
【図４】
2004232201.tif 000006